(57)【要約】【課題】有機ＥＬディスプレイの経年劣化によるカラーバランスの崩れを補正することを可能にしたハイブリッド型ファインダ装置を提供すること。【解決手段】被写体像を光学的に観察する光学ファインダの光路と電気的に撮像された被写体像を観察する電子ビューファインダの光路を合成する光路合成手段と、撮像素子に結像した被写体像を表示する表示素子と、該表示素子の輝度測定する測光手段を有し、該測光手段の測定値に基づいて前記表示素子の発光制御を行うことを特徴とする構成とした。【選択図】  図１
2015233255.tif 000002
【特許請求の範囲】
【請求項１】
被写体像を光学的に観察する光学ファインダの光路と電気的に撮像された被写体像を観察する電子ビューファインダの光路を合成する光路合成手段（１２６、１２７）と、撮像素子（１０６）に結像した被写体像を表示する表示素子（１２４）と、該表示素子の輝度を測定する測光手段（１３０）を有し、該測光手段の測定値に基づいて前記表示素子の発光制御を行うことを特徴とするファインダ装置。
【請求項２】
前記光路合成手段射出面から撮影者の眼の間に配置された第１の光路遮断手段と、前記光路合成手段へ入射する光束を遮断する第２の光路遮断手段とを有しており、該第１の光路遮断手段と該第２の光路遮断手段で遮光することを特徴とする請求項１に記載のファインダ装置。
【請求項３】
前記測光手段は、撮影レンズから入射してくる被写界輝度と前記表示素子の発光輝度を測光することを特徴とする請求項１に記載のファインダ装置。
【請求項４】
前記表示素子は有機ＥＬディスプレイであることを特徴とする請求項１に記載のファインダ装置。
【発明の詳細な説明】
【技術分野】
【０００１】
本発明は、撮影装置のファインダに関するものであり、特に、光学ファインダと電子ビューファインダの２つのファインダ機能を有し、光学ファインダと電子ビューファインダの一方、あるいは、両方を同時に撮影者が視認可能であるハイブリッド型ファインダ装置に関するものである。
【背景技術】
【０００２】
近年では、一眼レフカメラタイプのカメラにおいても、撮像素子の連続的な撮影画像を外部表示部（ディスプレイ）に表示する、いわゆるライブビュー表示による静止画撮影、さらには動画撮影が可能となっている。その際、一眼レフカメラの光学ファインダに被写体光を導く主ミラーが撮影光路外に退避してしまうために、カメラの撮影者は光学ファインダ像を視認できなくなり、代わりにカメラ背面に配置された外部表示部で被写界像を見ることになる。
【０００３】
しかしながら、光学ファインダと外部表示部でカメラを覗く姿勢が変わるのは煩わしい上、外部表示部を見ながらの一眼レフカメラの撮影は、カメラを保持する腕の脇をしめることが難しく、手振れを起し易い不安定な姿勢となる。とりわけ、三脚を使用しない手持ちでの望遠レンズ撮影は、非実用的なものであった。
【０００４】
この問題に対し、従来より、光学ファインダと電子ビューファインダの切り替えを可能とするカメラの提案がなされている。光学ファインダと電子ビューファインダとが同じ光路において切り替えが可能となれば、電子ビューファインダを使用するライブビュー表示撮影、さらには動画撮影においてもカメラのファインダを覗く撮影者の姿勢は、通常の光学ファインダを用いた状態と変わらないため、カメラを理想的な構えで保持し、撮影を行うことが可能となる。
【０００５】
光学ファインダと電子ビューファインダの両方を、カメラの撮影者が観察可能とする構成としての手段は、光学ファインダの一部材であるペンタプリズムの射出面と接眼レンズとの間にハーフミラー（ハーフプリズム）を配置し、光学ファインダの光路途中から電子ビューファインダの表示光路を導入するものが考えられる。
【０００６】
上述のハーフミラーを用いたファインダ装置の表示素子として使用可能な素子は、液晶ディスプレイや有機ＥＬディスプレイ等が存在するが、有機ＥＬディスプレイは液晶ディスプレイに対して、小型化、省電力化が可能であり、応答速度にも優れるため、いわゆる動画ボケが発生しにくいというメリットがある。
【０００７】
以上より、光学ファインダと電子ビューファインダの両方を兼ね揃えたハイブリッド型ファインダ装置が、近年提案されている（特許文献１参照）。このハイブリッド型ファインダ装置は、ファインダと撮像素子の視差によりパララックスが存在するといった課題を解決するものである。
【先行技術文献】
【特許文献】
【０００８】
【特許文献１】特開２０１２−６５２９４号公報
【発明の概要】
【発明が解決しようとする課題】
【０００９】
しかしながら、上述した特許文献１の従来技術に、電子ビューファインダ像の表示装置として有機ＥＬディスプレイを使用した場合、使用年数が経つに従って、有機ＥＬディスプレイの発光特性（カラーバランス、発光輝度、発光効率および発光の均一性）が初期の場合に比べ著しく劣化することが知られている。このような経年劣化の原因としては、発光素子内に侵入した酸素による電極の酸化、駆動時の発熱による有機材料の酸化分解、表示素子内に侵入した空気中の水分による電極の酸化、酸素や水分の影響で構造体の界面が剥離するといったことを挙げることができる。この現象は、発光色素毎に劣化の程度が異なっており、経年劣化で最も問題になるのは、カラーバランスの崩れによる見えの劣化である。
【００１０】
そこで、本発明の目的は、有機ＥＬディスプレイの経年劣化によるカラーバランスの崩れを補正することを可能にしたハイブリッド型ファインダ装置を提供することである。
【課題を解決するための手段】
【００１１】
上記目的を達成するために、本発明に係るファインダ装置の構成は、被写体像を光学的に観察する光学ファインダの光路と電気的に撮像された被写体像を観察する電子ビューファインダの光路を合成する光路合成手段と、撮像素子に結像した被写体像を表示する表示素子と、該表示素子の輝度測定する測光手段を有し、該測光手段の測定値に基づいて前記表示素子の発光制御を行うことを特徴とする。
【発明の効果】
【００１２】
本発明によれば、経年劣化による有機ＥＬディスプレイのカラーバランスの崩れを補正することが可能なファインダ装置を提供することができる。
【図面の簡単な説明】
【００１３】
【図１】カメラの構成図
【図２】ライブビュースイッチと動画撮影スイッチ説明図
【図３】モードダイヤルの説明図
【図４】カメラの電気ブロック図
【図５】光学ファインダの説明図
【図６】電子ビューファインダの説明図
【図７】光路遮断手段説明図１
【図８】光路遮断手段説明図２
【図９】キャリブレーションモード時におけるフローチャート説明図
【図１０】キャリブレーションモード時におけるフローチャート説明図
【図１１】キャリブレーションモード時におけるカメラの撮影動作のフローチャート
【図１２】電子ビューファインダの説明図
【図１３】電子ビューファインダの説明図
【発明を実施するための形態】
【００１４】
以下に、本発明の好ましい実施の形態を、添付の図面に基づいて詳細に説明する。
【実施例】
【００１５】
以下、本発明の実施形態について図１から図１３に基づいて詳細に説明する。なお、図１から図１３において、同一の要素部品には同じ番号がふってある。
【００１６】
図１は、本発明を適用した撮影装置としてのデジタル式一眼レフカメラの概略構成を示す図である。図１において、１０１はＣＰＵ（中央演算処理装置）であり、本カメラの動作は、このＣＰＵ１０１により制御される。１０５は撮影レンズであり、被写体光を撮像素子（撮像手段）であるＣＣＤ１０６上に結像させている。なお、図１に書かれた撮影レンズ１０５は、便宜的に１枚のレンズ１０５ａで表現しているが、実際には複数のレンズから成り立っている。
【００１７】
１２０は、撮影レンズ１０５のＣＣＤ１０６結像面と等価の結像面（一次結像面）に置かれた焦点検出板（以降、ピント板と称する）であり、被写体像は主ミラー１２３で反射され、ピント板１２０上に一次結像する。
【００１８】
３００は高分子分散液晶を用いた液晶表示素子（以降、ＰＮＬＣＤと称する）により構成され、ピント板１２０とペンタプリズム１２８との間に配置されている。ＰＮＬＣＤ３００は、ピント板１２０上に形成された被写体像にファインダ内情報を重畳して表示する。ファインダ内情報としては、ファインダ視野内に複数設けられる焦点検出領域や測光領域を示すマークや、文字や記号等、様々なものを含む。また、ＰＮＬＣＤ３００は透過率が可変であるので、後述する第２の光路遮断手段の一つとして用いることも可能である。
【００１９】
撮影者は、この被写体像をＰＮＬＣＤ３００、ペンタプリズム１２８、後述する光路合成プリズムI  １２６、光路合成プリズムII  １２７、さらには接眼レンズ群１２１を通じて観察することができる、いわゆるＴＴＬ方式の光学ファインダ構成となっている。一方、主ミラー１２３は、半透過ミラーとなっており、主ミラー１２３を透過した一部の光束は、サブミラー１６０を通じて焦点検出手段である焦点検出ユニット１１９に導かれ、周知の位相差検出方式の焦点検出動作を行う。焦点検出手段は、撮影画面の複数の領域について焦点検出が可能となっている。
【００２０】
１３０は、被写界輝度、あるいは、後述する表示素子の輝度を測定する測光手段、すなわち、測光センサである。測光レンズ１２９によってピント板１２０に結像した被写体像を複数の領域に分けた各々の輝度、色を検出することが可能となっている。また、測光センサ１３０の出力を用いてＣＰＵ１０１は顔認識、および色認識から被写体が人物か否かの判定を行うことができる。また、この測光センサ１３０も撮像手段と言うことができる。
【００２１】
撮影者がレリーズＳＷ１１４（不図示）を押すと、主ミラー１２３は撮影レンズ１０５の光路外に退避する。一方、撮影レンズ１０５によって集光された被写体光はフォーカルプレーンシャッタ１３３にてその光量制御がなされ、ＣＣＤ（撮像素子）１０６によって被写体像として光電変換処理された後、撮影済み画像として記録メディアに記録されるとともに、ＴＦＴ液晶ディスプレイの外部表示部１１３に撮影画像の表示がなされる。これが通常の静止画撮影であるが、本カメラはそれ以外にライブビュー撮影、動画撮影も可能となっている。
【００２２】
光学ファインダを備えた一般的な一眼レフカメラでは、前述のように撮影時に主ミラー１２３が撮影レンズ１０５の光路外に退避すると光学ファインダは真っ暗になり、被写体を見ることができなくなる。これに対して、本実施例の撮影装置では、後述するが、光学ファインダ光路の途中から電子ビューファインダを光路合成しているので、主ミラー１２３が撮影光路外に退避しても電子ビューファインダ像の確認が可能となっている。つまり、光学ファインダを覗くのと同じファインダ光学系の中で、外部表示部１１３と同じ像観察を行うことができる。
【００２３】
ライブビュー撮影とは、主ミラー１２３を撮影光路から退避させ、シャッタ１３３を開放状態で、ＣＣＤ１０６が連続的に撮像を行い、その画像をカメラ背面部にある外部表示部１１３、あるいは、表示素子である有機ＥＬディスプレイ１２４のいずれか、あるいは両方において連続して画像表示を行い、この表示を観察しながら撮影者は任意のタイミングで静止画撮影を行うものである。さらには、ライブビュー撮影状態から任意のタイミングで動画撮影へ移行し、動画フォーマットへの変換、記録を行うことも可能である。
【００２４】
図２は、カメラの外装部に配置された撮影モード選択図である。１４０の選択レバーは回転式のスイッチであり、スイッチの突起部が１４２の静止画撮影アイコン位置にある時は、静止画撮影を行い、突起部を１４３の動画撮影アイコン位置に移動させると、カメラの撮影モードは、動画撮影モードに設定される。静止画撮影の光学ファインダ撮影と電子ビューファインダ撮影の切り替えは、１４１のスタート・ストップスイッチで行う。また、動画撮影モード時にスタート・ストップスイッチ１４１を押すと、動画撮影・記録が開始され、再度、ボタンの押し直しで動画撮影は停止するようになっている。
【００２５】
また、ＣＣＤ１０６にて連続的に撮像されている画像を有機ＥＬディスプレイ１２４に表示するか、外部表示部１１３に表示をするかは、カメラが自動的に選択を行うようになっている。撮影者がカメラのファインダを覗いているか否かを検知するセンサ１７０が、接眼レンズ群１２１の近傍に設けられており、その出力に応じて、撮影者がカメラのファインダを覗いていれば撮影画像は有機ＥＬディスプレイ１２４に表示がなされ、撮影者がカメラのファインダを覗いていない場合には、外部表示部１１３に画像表示がなされる。
【００２６】
次に、有機ＥＬディスプレイ１２４からなる電子ビューファインダに関する光学構成について、以下の説明を行う。図１において、１２６、１２７は、それぞれ光路合成プリズムI、光路合成プリズムIIであり、被写体像を光学的に観察する光学ファインダの光路と電気的に撮像された被写体像を観察する電子ビューファインダの光路を合成する光路合成手段である。光路合成プリズムI  １２６と光路合成プリズムII  １２７は、４５°の角度を２点有した三角プリズムの斜面同士が互いに貼り合わせられており、その貼り合わせ面はハーフミラー１２６ａで構成されている。電子ビューファインダ像光束の光路については後述で詳しく説明する。
【００２７】
ライブビュー撮影時、あるいは動画撮影時は、光路変更手段としての主ミラー１２３が撮影光路外に退避しており、撮影レンズ１０５からの被写体光は撮影者の眼に到達しないため、有機ＥＬディスプレイ１２４に表示された被写体像のみを撮影者は観察することができる。
【００２８】
光学ファインダは、撮影レンズ１０５によってピント板１２０に投影された被写体像を接眼レンズ群１２１で拡大して見るものである。一方、電子ビューファインダの場合、接眼レンズ群１２１は光学ファインダと共用しており、該接眼レンズ群１２１からピント板までの光路長よりも短い光路長位置に配置された有機ＥＬディスプレイ１２４の視度をピント板１２０と一致させるためにＥＶＦ結像レンズ１３４が配置されている。
【００２９】
また、光路変更手段としての主ミラー１２３が撮影光路内に位置している場合、つまり、静止画撮影状態で光学ファインダが有効になっている場合でも、有機ＥＬディスプレイ１２４に焦点検出領域や、電池残量、ＩＳＯ感度値などの情報をキャラクタ、あるいは数字で表示すれば、撮影被写体の光学像に重畳させてスーパーインポーズ表示を行うことが可能である。
【００３０】
以上の構成により、本カメラの撮影者は、通常の静止画撮影時には通常の光学ファインダにて被写体の観察を行うが、ライブビュー撮影、あるいは動画撮影時においても、光学ファインダを覗いていた同じ姿勢のままに、有機ＥＬディスプレイ１２４による表示、いわゆる電子ビューファインダを用いた被写体観察が可能となっている。
【００３１】
ここまで、光学ファインダと電子ビューファインダを両立させた光学系の説明を行ってきたが、本構成を採用すると光学ファインダとしては性能上不利になる面もある。光路合成プリズムI  １２６、光路合成プリズムII  １２７は、光学ファインダにとって本来不要であり、それらがファインダ光路中に挿入されることで接眼レンズ１２１群がピント板１２０から遠ざかることになり、透過率、倍率といった光学ファインダの性能が低下する要因となっているからである。そこで、優先度の高い光学ファインダの性能を維持するために、光学ファインダの光路が横切る光路合成プリズムI  １２６、光路合成プリズムII  １２７の厚みは必要最低限とするのが望ましい。
【００３２】
次に、図３を用いて撮影モードについて説明する。露出調整のパラメータであるシャッタ速度、撮影レンズの絞り数値、ＩＳＯ感度値を選択式、あるいは自動で設定するために、カメラの撮影者が図３のモードダイヤルを回転させて撮影モードを選択する。
【００３３】
「Ｐ」はプログラムの略であり、被写体の明るさに応じて、カメラがシャッタ速度と絞り数値を自動的に設定する。
【００３４】
「Ｔｖ」はタイムバリューの略であり、カメラの撮影者がシャッタ速度を設定すると、被写体の明るさに応じてカメラが標準露出に必要な絞り数値を設定する。
【００３５】
「Ａｖ」はアパーチャーバリューの略であり、カメラの撮影者が絞り数値を設定すると、被写体の明るさに応じてカメラが標準露出に必要なシャッタ速度を設定する。
【００３６】
「Ｍ」はマニュアルの略であり、カメラの撮影者がシャッタ速度や絞り数値を決めて撮影したいときに設定する。
【００３７】
「Ｂ」はバルブの略であり、カメラの撮影者がレリーズＳＷ１１４を押している間、シャッタが開いたままになり、レリーズＳＷ１１４から指を離すと閉じるので、夜景撮影など長時間の露出時間が必要なときに設定する。
【００３８】
「ＣＡＬ」はキャリブレーションの略であり、後述するが、表示素子である有機ＥＬディスプレイ１２４のカラーバランスを、測光手段である測光センサ１３０で測定して校正する設定モードである。
【００３９】
図４は、本発明の実施例１によるデジタルカメラの概略構成を示す電気ブロック図である。図４において、１０１は前述のＣＰＵである。また、ＣＰＵ１０１には、制御プログラムを記憶しているＲＯＭ１０２、一次保存するＲＡＭ１０３、カメラの調整データが格納されたデータ格納手段であるＥＥＰＲＯＭ１０４、画像処理部１０８、画像表示制御部１１１、情報表示制御部１３８、測光制御部１３２、光路遮断制御部１２２、モータ制御部１５２、色調補正制御部１９０、電源を供給するためのＤＣ／ＤＣコンバータ１１７、レンズ駆動部１３１、焦点検出制御部１１９がそれぞれ接続され、画像処理部１０８にはＣＣＤ制御部１０７、さらにＣＣＤ１０６が接続されている。ＣＣＤ１０６は、有効画素数約１０００万画素を有している。
【００４０】
カメラ外装背面部に設けられた外部表示部１１３は、ＣＣＤ１０６にて撮像された画像を表示することのできるＴＦＴカラー液晶であり、カメラ内部に設けられた有機ＥＬディスプレイ１２４は、ＣＣＤ１０６にて撮像された画像を表示することができる。画像表示制御部１１１は、ＣＣＤ１０６にて撮像された静止画像、動画像の外部表示部１１３、有機ＥＬディスプレイ１２４への表示の駆動を行っている。モータ制御部１５２は、ＣＰＵ１０１の指示を受けてミラー駆動を始めとして、カメラ内部の複数のモータを制御している。また、ＤＣ／ＤＣコンバータ１１７には電池１１６から電源が供給されている。
【００４１】
ＣＰＵ１０１は、ＲＯＭ１０２内の制御プログラムに基づいて各種制御を行う。これらの制御の中には、画像処理部１０８から出力された撮影画像信号を読み込み、ＲＡＭ１０３へ転送を行う処理、同様に、ＲＡＭ１０３より画像表示制御部１１１へデータを転送する処理、また、画像データをＪＰＥＧ圧縮し、ファイル形式でメモリーカード１００へ格納する処理がある。動画データの場合も同様な処理を経て、ＭＯＶ形式のファイルに圧縮され、メモリーカード１００へ格納される。
【００４２】
さらに、ＣＰＵ１０１は、ＣＣＤ１０６、ＣＣＤ制御部１０７、画像処理部１０８、画像表示制御部１１１などに対してデータ取り込み画素数やデジタル画像処理の変更指示を行う。
【００４３】
１１９は、前述の焦点検出用の一対のラインＣＣＤセンサを含んだ焦点検出制御部であり、ラインセンサから得た電圧をＡ／Ｄ変換し、ＣＰＵ１０１に送る。また、ＣＰＵ１０１の指示のもとに、焦点検出制御部１１９はラインセンサの蓄積時間とＡＧＣ（オートゲインコントロール）の制御も行う。
【００４４】
また、レリーズＳＷ１１４の操作に伴う撮影動作の指示、各素子への電源の供給をコントロールするための制御信号をＤＣ／ＤＣコンバータ１１７に対して出力する等の様々な処理もＣＰＵ１０１の制御の基、行われている。
【００４５】
ＲＡＭ１０３は、画像展開エリア１０３ａ、ワークエリア１０３ｂ、ＶＲＡＭ１０３ｃ、一時退避エリア１０３ｄを備えている。画像展開エリア１０３ａは、画像処理部１０８より送られてきた撮影画像（ＹＵＶデジタル信号）やメモリーカード１００から読み出されたＪＰＥＧ圧縮画像データを一時的に格納するためのテンポラリバッファとして、または画像圧縮処理、解凍処理のための画像専用ワークエリアとして使用される。
【００４６】
ワークエリア１０３ｂは各種プログラムのためのワークエリアである。ＶＲＡＭ１０３ｃは表示部１１３へ表示する表示データを格納するＶＲＡＭとして使用される。また、一時退避エリア１０３ｄは各種データを一時退避させるためのエリアである。
【００４７】
ＥＥＰＲＯＭ１０４は、ＣＰＵ１０１によりＪＰＥＧ圧縮された撮影画像データ、あるいはＭＯＶ形式動画像データをファイル形式で格納しておくためのフラッシュメモリである。ＣＣＤ１０６は、ＣＰＵ１０１からの解像度変換指示に従って、水平方向および垂直方向の間引き画素データの出力が可能である。
【００４８】
ＣＣＤ制御部１０７は、ＣＣＤ１０６に転送クロック信号やシャッタ信号を供給するためのタイミングジェネレータ、ＣＣＤ出力信号のノイズ除去、ゲイン処理を行うための回路、さらに、アナログ信号を１０ビットデジタル信号に変換するためのＡ／Ｄ変換回路を有しており、さらには外部表示部１１３、有機ＥＬディスプレイ１２４に表示、および動画撮影を行うために、ＣＰＵ１０１からの解像度変換指示に従って、画素間引き処理を行うための回路等を含んでいる。
【００４９】
また、画像処理部１０８は、ＣＣＤ制御部１０７より出力された１０ビットデジタル信号をガンマ変換、色空間変換、また、ホワイトバランス、露出調整、フラッシュ補正等の画像処理を行い、ＹＵＶ（４：２：２）フォーマットの８ビットデジタル信号出力を行うものである。これら撮影レンズ１０５、ＣＣＤ１０６、ＣＣＤ制御部１０７、画像処理部１０８から撮像手段が構成されている。
【００５０】
色調補正制御部１９０は、詳細は後述するが、有機ＥＬディスプレイ１２４におけるカラーバランス補正の制御をする。
【００５１】
光路遮断制御部１２２は、詳細は後述するが、外界からファインダ装置内に入射する光を遮断するために、光路合成プリズムII  １２７射出面から撮影者の眼の間に配置された第１の光路遮断手段であるアイピースシャッタ１３６と、光路合成プリズムI  １２６へ入射する光束を遮断する第２の光路遮断手段である主ミラー１２３、あるいは、ＰＮＬＣＤ３００を駆動制御する。
【００５２】
画像表示制御部１１１は、画像処理部１０８から転送されたＹＵＶデジタル画像データ、あるいは、メモリーカード１００の画像ファイルに対してＪＰＥＧの解凍を行ったＹＵＶデジタル画像データを受け取り、ＲＧＢデジタル信号へ変換した後、外部表示部１１３または、有機ＥＬディスプレイ１２４へ出力する処理を行う。
【００５３】
情報表示制御部１３８は、カメラのシャッタ秒時（ＴＶ値）、撮影レンズ１０５の絞り制御値（ＡＶ値）等のファインダ画面外（下部）に表示する液晶パネルからなる内部表示部１７１の制御を行う。また、焦点検出枠や水準器等の撮影補助情報を表示するＰＮＬＣＤ３００の制御も加えて行っている。
【００５４】
レリーズＳＷ１１４は、撮影動作の開始を指示するためのものである。このレリーズＳＷ１１４はカメラ操作部材であるレリーズボタンの押下圧によって２段階のスイッチポジションを有しており、１段目のポジション（ＳＷ１  ＯＮ）の検出で、測光、露出等のカメラ設定のロック動作が行われ、２段目のポジション（ＳＷ２  ＯＮ）の検出で、被写体画像信号の取り込み動作が行われる。
【００５５】
測光制御部１３２は、ＣＰＵ１０１の指示に従って、ＣＣＤからなる測光センサ１３０を駆動制御し、被写体輝度信号を取り込み、ＣＰＵ１０１にデータを送る。
【００５６】
基本的な測光動作としては、測光センサ１３０の受光面の画素において発生した輝度信号はＣＰＵ１０１にて各々Ａ／Ｄ変換が行われ、各々８ビットのデジタル信号となる。これに撮影レンズの明るさを示すＦｎｏ．（実効Ｆｎｏ．）の値の補正、センサ出力信号のバラツキ補正（レベル・ゲインの調整）、さらには撮影レンズ１０５から送られてくる情報等から測光補正が行われ、最終的に被写界輝度信号値を得ることができる。
【００５７】
これらの情報に基づいてカメラの最適露出演算が行われ、カメラのシャッタスピード、撮影レンズの絞りを最適に制御することで最適な露光を得ることができる。また、前述の通り、測光センサ１３０は露出制御のみならず、測光センサ１３０が出力する多数の被写界輝度信号、色信号に基づいて、ＣＰＵ１０１の演算処理によって被写体検出、ひいては撮影シーン判別が可能である。また、１１６はリチャージャブルの２次電池あるいは乾電池であり、ＤＣ／ＤＣコンバータ１１７は、電池１１６からの電源供給を受け、昇圧、レギュレーションを行うことにより複数の電源を作り出し、ＣＰＵ１０１を初めとする各素子に必要な電圧の電源を供給している。
【００５８】
このＤＣ／ＤＣコンバータ１１７は、ＣＰＵ１０１からの制御信号により、各々の電圧供給の開始、停止を制御できるようになっている。
【００５９】
以上が一眼レフカメラにおける、電気ブロック図による動作説明である。
【００６０】
次に、光学ファインダ像光束が光路合成プリズムI  １２６、光路合成プリズムII  １２７のハーフミラー１２６ａを通過する際の光路やファインダ構成についての詳細な説明を、図５を用いて行う。
【００６１】
ペンタプリズム１２８射出面から光路合成プリズムI  １２６に入射した被写体光は、一部の被写体光のみがハーフミラー１２６ａで反射して、測光レンズ１２９を介して測光センサ１３０に到達する。一方で、反射しなかった残りの被写体光は、ハーフミラー１２６ａを透過した後、接眼レンズ群１２１を介し、撮影者の眼に届く。ここで、被写体像の見えを撮影者にとって良くするために、被写体光の光量減を実用上最小限としたいので、ハーフミラー１２６ａの光量分割割合は、被写体光の透過率が７５％前後、反射率は２５％前後になるように設定する。
【００６２】
次に、電子ビューファインダ像光束が撮影者の眼に届くまでの光路やファインダ構成についての詳細説明を、図６を用いて行う。
【００６３】
ＣＣＤ１０６に結像した被写体像を表示する有機ＥＬディスプレイ１２４から発光された被写体光は、ＥＶＦ結像レンズ１３４を介して、１３５のＥＶＦミラーで反射し、光路合成プリズムII  １２７に入射する。前記入射光は、ハーフミラー１２６ａにて一部の光が透過し、測光レンズ１２９を介して、測光センサ１３０に届いている。一方で、反射しなかった残りの入射光はハーフミラー１２６ａで反射して、撮影者の眼に到達する。ここで、光学被写体像の光量を最優先したために、有機ＥＬディスプレイ１２４から撮影者の眼に届く光は２５％反射（７５％減衰）前後になるように設定している。
【００６４】
次に、有機ＥＬディスプレイ１２４の構成（図７〜１０）について説明する。有機ＥＬディスプレイ１２４は、図７に示す通り、光を発光する有機層１２４ａ、電極（陽極）１２４ｂ、電極（陰極）１２４ｃ、基板１２４ｄ、１２４ｅから構成されている。発光の仕組みは、発光層からなる有機層１２４ａに電流を流すと、陽極１２４ｂと陰極１２４ｃの電極にはさまれた有機層１２４ａが電気のエネルギーによって励起される。この励起状態から元の状態に戻るときに発生するエネルギー差によって発光する。有機層１２４ａ自らが発光する構造のため、バックライトが不要な分、機器を小型化でき、像を鮮明に表示できる。有機層１２４ａの光を外に取り出せるようにするために、陽極側の電極１２４ｂと基板１２４ｄは透明な材料を用いている。一般的には、陽極側にＩＴＯ（Ｉｎｄｉｕｍ  Ｔｉｎ  Ｏｘｉｄｅ）という透明電極が使われている。一方で、陰極側の電極１２４ｃと基板１２４ｅは不透明にすることで、有機ＥＬディスプレイ１２４裏面からの発光光が迷光になるのを防いでいる。
【００６５】
また、発光層である有機層１２４ａは一層から多層のものまであり、場合によってそれぞれの層の役割は違ってくる。また、有機層１２４ａに利用される分子は、主に低分子と高分子の二つに大別できる。有機層１２４ａ全体は数百ｎｍ以下と、非常に薄いのが特徴的である。
【００６６】
有機ＥＬディスプレイ１２４はフルカラー表示を実現するために、図８に示すように赤（Ｒ）、緑（Ｇ）、青（Ｂ）の光の三原色を有機層１２４ａとして配置して、それぞれの色に発光する有機分子を用意し、順番に配置してサブピクセルを構成するという方法がある。この構造は単純であるが、実際に製造するとなるとコストがかかりすぎるという課題がある。図９では、白色ＯＬＥＤ１２４ｆを背面に配置し、ＲＧＢのカラーフィルタ１２４ｇを通してフルカラー表示を実現している。有機ＥＬセルがすべて白色で共通しており、有機ＥＬセルを色毎に配置していく必要がないのが特徴である。図１０は、青色ＯＬＥＤ１２４ｉを背面に配置して、青色光や紫外線（短い波長の光）を蛍光体１２４ｈに吸収させ、赤色光や緑色光（長い波長の光）を出すという方法であり、図９よりエネルギー効率が高い特徴がある。
【００６７】
以上、上述のように発光方法も数種類あり、本提案では上述のいかなる発光方法にも適応可能であるが、以降は最も単純な図８の赤（Ｒ）、緑（Ｇ）、青（Ｂ）の光の三原色を有機層１２４ａとして配置して、それぞれの色に発光する有機分子を設けているものとする。
【００６８】
しかしながら、撮影者がこのカメラを長年使用すると、有機ＥＬディスプレイ１２４の有機層１２４ａ内に侵入した酸素や水分による電極の酸化の影響で、構造体の界面が剥離して、発光する有機分子のカラーバランスが崩れる。このカラーバランスの崩れを補正するのが以下に述べるキャリブレーションである。
【００６９】
キャリブレーション時におけるカメラの撮影動作について、図１１のフローチャートを用いて説明を行う。ここでのキャリブレーションとは、経年劣化して発光輝度が低下した有機ＥＬディスプレイ１２４のカラーバランスを補正して、カメラ初期状態のカラーバランスにする動作である。ここで、カメラ初期状態のカラーバランスは測光センサ１３０により、個体調整値としてＥＥＰＲＯＭ１０４に記録されている。これらを用いて、カメラ初期状態のカラーバランスと使用中カメラのカラーバランスを色調補正制御部１９０（ＲＧＢ補正制御部）が比較制御して、補正する。
【００７０】
また、３つのカラーバランスを合わせるときの順序は、最も輝度の低い色を基準に、他の色を輝度調整し、カラーバランスを補正する。たとえば、各色成分輝度が緑（Ｇ）＞赤（Ｒ）＞青（Ｂ）のときは、最も輝度の低い青（Ｂ）の輝度変化量をＣＰＵ１０５が計算する。赤（Ｒ）と緑（Ｇ）の輝度は、青（Ｂ）との輝度変化量分だけオフセットした発光補正値が設定される。
【００７１】
撮影者の作業手順は、最初にモードダイヤルを回転させ、「ＣＡＬ」を選択すると、有機ＥＬディスプレイ１２４のカラーバランス補正作業を開始する（ステップＳ１）。
【００７２】
その後、ノイズの原因になる外光がファインダ装置内に入射しないようにする必要があるので、図３のモードダイヤルを「ＣＡＬ」にすることで、第１の光路遮断手段であるアイピースシャッタ１３６を閉じて、接眼窓から入射する外光を遮断する。さらに、第２の光路遮断手段である主ミラー１２３を退避させる（図１２）、あるいは、ＰＮＬＣＤ３００の遮光率を最大限まで上げる（図１３）ことで、撮影レンズ１０５側からの入射光を遮断する（ステップＳ２）。
【００７３】
上記条件が整うと、有機ＥＬディスプレイ１２４を白色発光させ、ファインダ装置内における光が有機ＥＬディスプレイ１２４の発光光のみにする（ステップＳ３）。
【００７４】
その後、有機ＥＬディスプレイ１２４の白色発光光からＲＧＢ輝度を測光センサ１３０で測光する（ステップＳ４）。
【００７５】
そして、前記測光値が初期状態のＲＧＢ輝度値と変化があるかを判別する（ステップＳ５）。
【００７６】
前記測光値が初期値のＲＧＢ輝度値と同じ場合、キャリブレーションは終了する（ステップＳ８）。
【００７７】
前記測光値が初期値のＲＧＢ輝度値と異なる場合、先述の通り、有機ＥＬディスプレイ１２４のＲＧＢ発光制御を変更することで有機ＥＬディスプレイ１２４のカラーバランス補正を実現し、補正後のＲＧＢ輝度値はＲＡＭ１０４に保存されることで、次回からカメラを起動したときにも補正後のＲＧＢ発光制御で、有機ＥＬディスプレイ１２４に表示される（ステップＳ６）。
【００７８】
Ｓ６が終わると、アイピースシャッタ１３６を開放するとともに、主ミラー１２３をダウンさせる（ステップＳ７）。
【００７９】
以上で、有機ＥＬディスプレイ１２４のキャリブレーションは終了する（ステップＳ８）。
【００８０】
上記フローを経緯することでキャリブレーションは完了する。
【００８１】
また、キャリブレーション後には、撮影モードを撮影者の任意で、モードダイヤルより選択する。以後の撮像手順は一般的な一眼レフカメラの撮像方法と変わらないため、説明は省略することとする。
【００８２】
以上、本発明の好ましい実施形態について説明したが、本発明はこれらの実施形態に限定されず、その要旨の範囲内で種々の変形及び変更が可能である。
【符号の説明】
【００８３】
１２３  主ミラー、１２４  有機ＥＬディスプレイ、１２６  光路合成プリズムI、
１２６ａ  ハーフミラー、１２７  光路合成プリズムII、１２９  測光レンズ、
１３０  測光センサ、１３４  ＥＶＦ結像レンズ、１３５  ＥＶＦミラー、
１３６  アイピースシャッタ、３００  ＰＮＬＣＤ
【図１】
2015233255.tif 000003
【図２】
2015233255.tif 000004
【図３】
2015233255.tif 000005
【図４】
2015233255.tif 000006
【図５】
2015233255.tif 000007
【図６】
2015233255.tif 000008
【図７】
2015233255.tif 000009
【図８】
2015233255.tif 000010
【図９】
2015233255.tif 000011
【図１０】
2015233255.tif 000012
【図１１】
2015233255.tif 000013
【図１２】
2015233255.tif 000014
【図１３】
2015233255.tif 000015